(57)【要約】【課題】スタンプサービス提供者がリアルタイムにスタンプ獲得状況を把握可能とし、ＩＣチップの記憶容量に制限されないスタンプサービスを可能とし、既存のＩＣチップを搭載したＩＣカードを利用したサービスを可能としたスタンプシステム、スタンプ情報管理方法、サーバ装置、及びサーバプログラムを提供する。【解決手段】スタンプ装置の印版部により記録媒体の印面に対してスタンプが押印される際に、当該スタンプ装置が通信可能範囲内に入った記録媒体の媒体情報記憶部に記憶されている媒体識別情報を非接触通信により読み取り、通信装置が媒体識別情報及び装置識別情報とを含むスタンプ情報をネットワークを介してサーバ装置に送信し、サーバ装置が受信したスタンプ情報と、少なくとも時刻情報とを対応付けて記憶する。【選択図】図７
2010198431.tif 000002
【特許請求の範囲】
【請求項１】
記録媒体毎に固有の媒体識別情報を記憶する媒体情報記憶部とスタンプを押印可能な印面とを有する記録媒体の当該印面に対してスタンプを押印するスタンプ装置と、
前記スタンプ装置との間で通信を行う通信装置と、
前記通信装置との間で通信を行うサーバ装置と、
を備えるスタンプシステムであって、
前記スタンプ装置は、
スタンプ装置毎に固有の装置識別情報を記憶する装置情報記憶部と、
前記記録媒体の印面に対してスタンプを押印するための印版部と、
前記スタンプが押印される際に、通信可能範囲内に入った前記記録媒体の前記媒体情報記憶部に記憶されている前記媒体識別情報を非接触で読み取る媒体識別情報読取部と、
前記読み取られた前記媒体識別情報及び前記装置情報記憶部に記憶されている前記装置識別情報とを含むスタンプ情報を前記通信装置に送信するスタンプ情報送信部と、
を備え、
前記通信装置は、
前記スタンプ装置から送信された前記スタンプ情報を受信するスタンプ情報受信部と、
前記受信されたスタンプ情報をネットワークを介して前記サーバ装置に送信するスタンプ情報送信部と、
を備え、
前記サーバ装置は、
前記通信装置から送信された前記スタンプ情報を受信するスタンプ情報受信部と、
前記スタンプ情報受信部により受信されたスタンプ情報と、少なくとも時刻情報とを対応付けて登録するスタンプ情報登録部と、
を備えることを特徴とするスタンプシステム。
【請求項２】
請求項１に記載のスタンプシステムにおいて、
前記サーバ装置は、
前記スタンプ情報受信部によりスタンプ情報が受信された場合に、当該スタンプ情報と、既に登録されているスタンプ情報との重複判定を行う重複判定部を更に備え、
前記スタンプ情報登録部は、前記重複判定部による判定結果を、前記受信部により受信されたスタンプ情報に対応付けて登録することを特徴とするスタンプシステム。
【請求項３】
請求項１に記載のスタンプシステムにおいて、
前記サーバ装置は、
前記スタンプ情報受信部によりスタンプ情報が受信された場合に、当該スタンプ情報と、既に登録されているスタンプ情報との重複判定を行う重複判定部と、
前記重複判定部による判定結果を示すスタンプ獲得結果情報を、前記ネットワークを介して前記通信装置に返信するスタンプ獲得結果情報返信部と、
を更に備えることを特徴とするスタンプシステム。
【請求項４】
請求項３に記載のスタンプシステムにおいて、
前記スタンプ装置は、
前記サーバ装置から送信された前記スタンプ獲得結果情報を前記通信装置を介して受信するスタンプ獲得結果情報受信部と、
前記スタンプ獲得結果情報受信部により受信されたスタンプ獲得結果情報に示される判定結果に応じた情報を出力する情報出力部と、
を更に備えることを特徴とするスタンプシステム。
【請求項５】
請求項１乃至４の何れか一項に記載のスタンプシステムにおいて、
前記スタンプ装置と前記通信装置とは同一の筐体内に搭載されていることを特徴とするスタンプシステム。
【請求項６】
記録媒体毎に固有の媒体識別情報を記憶する媒体情報記憶部とスタンプを押印可能な印面とを有する記録媒体の当該印面に対してスタンプを押印するスタンプ装置と、前記スタンプ装置との間で通信を行う通信装置と、前記通信装置との間で通信を行うサーバ装置と、を用いてスタンプ情報を管理するスタンプ情報管理方法であって、
前記スタンプ装置が自己に固有の装置識別情報を記憶する工程と、
前記スタンプ装置の印版部により前記記録媒体の印面に対してスタンプが押印される際に、当該スタンプ装置が通信可能範囲内に入った前記記録媒体の前記媒体情報記憶部に記憶されている前記媒体識別情報を非接触通信により読み取る工程と、
前記通信装置が前記媒体識別情報及び前記装置識別情報とを含むスタンプ情報を前記スタンプ装置から取得する工程と、
前記通信装置が前記取得したスタンプ情報をネットワークを介して前記サーバ装置に送信する工程と、
前記サーバ装置が前記通信装置から送信された前記スタンプ情報を受信する工程と、
前記サーバ装置が前記受信したスタンプ情報と、少なくとも時刻情報とを対応付けて記憶する工程と、
を含むことを特徴とするスタンプ情報管理方法。
【請求項７】
請求項１乃至５の何れか一項に記載のスタンプシステムにおけるサーバ装置であって、
前記スタンプ情報受信部と、前記スタンプ情報記憶部と、を備えることを特徴とするサーバ装置。
【請求項８】
コンピュータを、
請求項１乃至５の何れか一項に記載のサーバ装置として機能させることを特徴とするサーバプログラム。
【発明の詳細な説明】
【技術分野】
【０００１】
本発明は、例えばスタンプラリーに用いられるスタンプ装置等の技術分野に関する。
【背景技術】
【０００２】
従来から、展覧会やテーマパーク等の複数の拠点において利用者がスタンプをスタンプ用台紙に押印していくスタンプラリーが知られている。かかるスタンプラリーでは、例えば基準数のスタンプがスタンプ用台紙に押印されると、景品と交換できるようになっている。
【０００３】
一方、特許文献１には、従来のスタンプラリーにおける、スタンプ用台紙の準備やスタンプを設置する場所の選定などの問題点を解決するために、携帯電話を用いたスタンプラリーシステムが提案されている。かかるスタンプラリーシステムでは、ある時刻における携帯電話の位置を証明するスタンプを発行することにより、スタンプラリー主催者がスタンプ用台紙やスタンプを設置する場所などを準備することなくスタンプラリーを遂行することが可能になっている。
【先行技術文献】
【特許文献】
【０００４】
【特許文献１】特開２００４−１３９１９３号公報
【発明の概要】
【発明が解決しようとする課題】
【０００５】
しかしながら、特許文献１に開示されるような携帯電話を用いたスタンプラリーシステムでは、利用者が制限されてしまい、また、物がもつ“思い出”的な要素が無く利用者にとってコレクション欲を満たさないなどといった問題がある。この点、スタンプをスタンプ用台紙に押印していく従来のスタンプラリーが優れているものの、かかるスタンプラリーでは、認証が困難なため、利用者は複数のスタンプ用台紙を入手し、各スタンプ用台紙に同じスタンプを押印することで、複数回に亘り景品と交換したり、スタンプが押印されたスタンプ用台紙をオークションで転売するなどの問題がある。
【０００６】
そこで、本出願人は、特願２００８−２４５３６３において、非接触通信によりデータを書き込み可能なＩＣチップとスタンプを押印可能な印面とを有するスタンプ帖の当該印面に対してスタンプを押印するスタンプ装置を複数備え、夫々のスタンプ装置が複数の異なる拠点に設置されるようにしたスタンプシステムを提案した。
【０００７】
このスタンプシステムにおいて、夫々の拠点におけるスタンプ装置は、自己が設置される拠点を示す拠点データを記憶しており、印版部によりスタンプが印面に押印される際に、通信可能範囲内に入ったスタンプ帖のＩＣチップを検知し、当該ＩＣチップへの拠点データの書き込みを非接触通信により行う。
【０００８】
そして、利用者は、スタンプ帖を持って異なる複数の拠点を回り、各拠点においてスタンプ装置を用いてスタンプ帖の印面にスタンプを押すが、このとき、当該拠点の通過履歴及びタイムスタンプを有するデータがスタンプ帖のＩＣチップに非接触通信により書き込まれる。つまり、各拠点におけるスタンプ獲得状況を示す情報が、スタンプ帖のＩＣチップ内に格納される。最終的に、利用者は、スタンプ帖を景品交換所に持っていくと、ＩＣチップから上記スタンプ獲得状況を示す情報が処理端末により読み取られ、当該スタンプ獲得状況に応じて例えば抽選により景品交換等を行うことができる。
【０００９】
しかしながら、このようなスタンプシステムでは、スタンプ獲得状況を示す情報がスタンプ帖におけるＩＣチップ内に格納されるため、スタンプサービス提供者がスタンプ獲得状況をリアルタイムに把握できないという問題がある。
【００１０】
また、ＩＣチップへのデータ書き込み処理は、ＩＣチップからのデータ読み取りと比べて遅いため、スタンプ押下が瞬時に行われた場合、スタンプは押されても ＩＣチップへのデータ書き込み処理が完了しないことがあるという問題がある。
【００１１】
また、ＩＣチップの記憶容量は有限であり、例えば利用者が自由に使える領域が数十バイトである低価格のＩＣチップの場合、スタンプ数や書き込める情報に制約が出てしまうという問題がある。
【００１２】
更に、スタンプサービス提供者とＩＣチップ発行者が異なる場合、ＩＣチップに拠点の通過履歴等のデータを書き込むためには、ＩＣチップ発行者より書き込むための仕様を開示してもらう必要があり、簡単には情報を書き込めないという問題がある。
【００１３】
そこで、本発明は、このような問題等に鑑みてなされたものであり、スタンプサービス提供者がリアルタイムにスタンプ獲得状況を把握可能とし、ＩＣチップの記憶容量に制限されないスタンプサービスを可能とし、既存のＩＣチップを搭載したＩＣカードを利用したサービスを可能としたスタンプシステム、スタンプ情報管理方法、サーバ装置、及びサーバプログラムを提供することを課題とする。
【課題を解決するための手段】
【００１４】
上記課題を解決するために、請求項１に記載の発明は、記録媒体毎に固有の媒体識別情報を記憶する媒体情報記憶部とスタンプを押印可能な印面とを有する記録媒体の当該印面に対してスタンプを押印するスタンプ装置と、前記スタンプ装置との間で通信を行う通信装置と、前記通信装置との間で通信を行うサーバ装置と、を備えるスタンプシステムであって、前記スタンプ装置は、スタンプ装置毎に固有の装置識別情報を記憶する装置情報記憶部と、前記記録媒体の印面に対してスタンプを押印するための印版部と、前記スタンプが押印される際に、通信可能範囲内に入った前記記録媒体の前記媒体情報記憶部に記憶されている前記媒体識別情報を非接触で読み取る媒体識別情報読取部と、前記読み取られた前記媒体識別情報及び前記装置情報記憶部に記憶されている前記装置識別情報とを含むスタンプ情報を前記通信装置に送信するスタンプ情報送信部と、を備え、前記通信装置は、前記スタンプ装置から送信された前記スタンプ情報を受信するスタンプ情報受信部と、前記受信されたスタンプ情報をネットワークを介して前記サーバ装置に送信するスタンプ情報送信部と、を備え、前記サーバ装置は、前記通信装置から送信された前記スタンプ情報を受信するスタンプ情報受信部と、前記スタンプ情報受信部により受信されたスタンプ情報と、少なくとも時刻情報とを対応付けて登録するスタンプ情報登録部と、を備えることを特徴とする。
【００１５】
請求項２に記載の発明は、請求項１に記載のスタンプシステムにおいて、前記サーバ装置は、前記スタンプ情報受信部によりスタンプ情報が受信された場合に、当該スタンプ情報と、既に登録されているスタンプ情報との重複判定を行う重複判定部を更に備え、前記スタンプ情報登録部は、前記重複判定部による判定結果を、前記受信部により受信されたスタンプ情報に対応付けて登録することを特徴とする。
【００１６】
請求項３に記載の発明は、請求項１に記載のスタンプシステムにおいて、前記サーバ装置は、前記スタンプ情報受信部によりスタンプ情報が受信された場合に、当該スタンプ情報と、既に登録されているスタンプ情報との重複判定を行う重複判定部と、前記重複判定部による判定結果を示すスタンプ獲得結果情報を、前記ネットワークを介して前記通信装置に返信するスタンプ獲得結果情報返信部と、を更に備えることを特徴とする。
【００１７】
請求項４に記載の発明は、請求項３に記載のスタンプシステムにおいて、前記スタンプ装置は、前記サーバ装置から送信された前記スタンプ獲得結果情報を前記通信装置を介して受信するスタンプ獲得結果情報受信部と、前記スタンプ獲得結果情報受信部により受信されたスタンプ獲得結果情報に示される判定結果に応じた情報を出力する情報出力部と、  を更に備えることを特徴とする。
【００１８】
請求項５に記載の発明は、請求項１乃至４の何れか一項に記載のスタンプシステムにおいて、前記スタンプ装置と前記通信装置とは同一の筐体内に搭載されていることを特徴とする。
【００１９】
請求項６に記載の発明は、記録媒体毎に固有の媒体識別情報を記憶する媒体情報記憶部とスタンプを押印可能な印面とを有する記録媒体の当該印面に対してスタンプを押印するスタンプ装置と、前記スタンプ装置との間で通信を行う通信装置と、前記通信装置との間で通信を行うサーバ装置と、を用いてスタンプ情報を管理するスタンプ情報管理方法であって、前記スタンプ装置が自己に固有の装置識別情報を記憶する工程と、前記スタンプ装置の印版部により前記記録媒体の印面に対してスタンプが押印される際に、当該スタンプ装置が通信可能範囲内に入った前記記録媒体の前記媒体情報記憶部に記憶されている前記媒体識別情報を非接触通信により読み取る工程と、前記通信装置が前記媒体識別情報及び前記装置識別情報とを含むスタンプ情報を前記スタンプ装置から取得する工程と、前記通信装置が前記取得したスタンプ情報をネットワークを介して前記サーバ装置に送信する工程と、前記サーバ装置が前記通信装置から送信された前記スタンプ情報を受信する工程と、前記サーバ装置が前記受信したスタンプ情報と、少なくとも時刻情報とを対応付けて記憶する工程と、を含むことを特徴とする。
【００２０】
請求項７に記載の発明は、請求項１乃至５の何れか一項に記載のスタンプシステムにおけるサーバ装置であって、前記スタンプ情報受信部と、前記スタンプ情報記憶部と、を備えることを特徴とする。
【００２１】
請求項８に記載のサーバプログラムの発明は、コンピュータを、請求項１乃至５の何れか一項に記載のサーバ装置として機能させることを特徴とする。
【発明の効果】
【００２２】
本発明によれば、スタンプ装置の印版部により記録媒体の印面に対してスタンプが押印される際に、当該スタンプ装置が通信可能範囲内に入った記録媒体の媒体情報記憶部に記憶されている媒体識別情報を非接触通信により読み取り、通信装置が媒体識別情報及び装置識別情報とを含むスタンプ情報をネットワークを介してサーバ装置に送信し、サーバ装置が受信したスタンプ情報と、少なくとも時刻情報とを対応付けて記憶するように構成したので、スタンプサービス提供者がリアルタイムにスタンプ獲得状況を把握可能とし、ＩＣチップの記憶容量に制限されないスタンプサービスを可能とし、既存のＩＣチップを搭載したＩＣカードを利用したサービスを実現することができる。
【図面の簡単な説明】
【００２３】
【図１】本実施形態に係るスタンプシステムの概要構成例を示す図である。
【図２】本実施形態に係るスタンプ装置１及びスタンプ台２の構成を説明するための断面図である。
【図３】スタンプ帖Ｔの構成を説明するための図である。
【図４】ホスト３の概要構成例を示すブロック図である。
【図５】ホスト３としてセットトップボックスを利用した場合の例を示す図である。
【図６】スタンプサーバ４の概要構成例を示すブロック図である。
【図７】スタンプシステムＳにおける処理の流れの一例を示すシーケンス図である。
【発明を実施するための形態】
【００２４】
以下、本発明を実施するための最良の実施形態について、図面に基づいて説明する。
【００２５】
［１．スタンプシステムＳの構成及び機能］
先ず、本発明の一実施形態に係るスタンプシステムの構成及び機能について説明する。
【００２６】
図１は、本実施形態に係るスタンプシステムの概要構成例を示す図である。
【００２７】
図１に示すように、スタンプシステムＳは、スタンプ帖Ｔ（記録媒体の一例）にスタンプを押印可能なスタンプ装置１、スタンプ台２、ホスト３（通信装置の一例）、及びスタンプサーバ４（サーバ装置の一例）等を備えて構成されている。
【００２８】
このようなスタンプシステムＳがスタンプラリーに利用される場合、スタンプ装置１、スタンプ台２、及びホスト３のセットは、複数の異なる拠点に設置される。そして、スタンプラリーを行う利用者は、スタンプ帖Ｔを持って各拠点をまわり、各拠点においてスタンプ装置１を用いてスタンプをスタンプ帖Ｔに押印するが、その際、後述するスタンプ情報がホスト３を介してスタンプサーバ４に収集され、収集された基づき例えば抽選が行われる。
【００２９】
［２．スタンプ装置１、スタンプ台２、及びスタンプ帖Ｔの構成及び機能］
ここで、スタンプ装置１、スタンプ台２、及びスタンプ帖Ｔの構成及び機能について図２等を用いて説明する。
【００３０】
図２は、本実施形態に係るスタンプ装置１及びスタンプ台２の構成を説明するための断面図である。スタンプ装置１は、図２に示すように、ＵＳＢ端子１１、筐体グリップ部１２、筐体スタンプ部１３、化粧・認識用ＬＥＤ（発光ダイオード）１４、制御基板１５、スピーカ（又はブザー）１６、ＲＦＩＤ（Radio Frequency Identification System）アンテナ１７、ＲＦＩＤリーダライタ通信スイッチ（以下、「Ｒ／Ｗ通信スイッチ」という）１８、スタンプ帖Ｔの印面に対してスタンプを押印するための印版部としてのゴム印１９、及びホスト３との間で通信を行うための通信Ｉ／Ｆ（インターフェイス）１９ａ等を備えて構成されている。なお、通信Ｉ／Ｆ１９ａは、ＵＳＢケーブル及びＵＳＢ端子１１を通じてホスト３（通信Ｉ／Ｆ３１）に接続される。なお、通信Ｉ／Ｆ１９ａは、ＲＳ２３２Ｃケーブル、又はBluetooth（登録商標）による無線等を通じてホスト３（通信Ｉ／Ｆ３１）に接続されるものであってもよい。
【００３１】
制御基板１５は、ＣＰＵ，ＲＡＭ，ＲＯＭ，不揮発性メモリ（装置情報記憶部の一例）等を備え、ＲＦＩＤリーダライタ（媒体識別情報読取部の一例）の機能及び計時（時計）機能を有する。かかるＲＦＩＤリーダライタは、例えば非接触ＩＣカード技術である公知のFeliCa（登録商標）技術を採用しており、当該FeliCa技術を採用したＩＣチップ（以下、「ＲＦＩＤチップ」という）からのデータの読み取り及び当該ＲＦＩＤチップへのデータの書き込みを非接触で（非接触通信により）行うことが可能になっている。なお、非接触ＩＣカード技術として上記FeliCa以外の技術を適用しても良く、例えば、MIFARE(R)ウルトラライト（ISO 14443A）の技術を適用しても良い。
【００３２】
例えば、ＲＦＩＤリーダライタは、Ｒ／Ｗ通信スイッチ１８がＯＮ（オン）であるときに通信可能範囲内（例えば、10cm程度）に入ったＲＦＩＤチップを、ＲＦＩＤアンテナを介して検知し、当該ＲＦＩＤチップに電波（例えば13.56MHz）を発信することでＲＦＩＤチップに電力を供給（電磁誘導による）し、キャリアの変調により当該ＲＦＩＤチップ間でデータ通信（ＲＦＩＤの非接触通信）を行うことにより、当該ＲＦＩＤチップからのデータの読み取り及び当該ＲＦＩＤチップへのデータの書き込みを非接触で行う。なお、制御基板１５及びＲＦＩＤアンテナ１７は、本発明における媒体識別情報読取部を構成する。
【００３３】
制御基板１５に備えられるＲＯＭ（又は不揮発性メモリ）の所定の記憶領域には、スタンプ装置毎に固有のスタンプＲ／ＷＩＤ（装置識別情報の一例）が記憶されている。
【００３４】
Ｒ／Ｗ通信スイッチ１８は、図２に示すように、スタンプ装置１がスタンプ台２に設置されているときはスタンプ台２におけるＲ／Ｗ通信スイッチ押し出し突起２１により付勢されるためＯＦＦに、スタンプ装置１がスタンプ台２から離れるとＲ／Ｗ通信スイッチ押し出し突起２１による付勢が解かれるためＯＮになる。
【００３５】
ゴム印１９のスタンプ台２側の印面には、所定の文字、図形等のキャラクタの像形状が形成されており、反対の面は図示のように筐体スタンプ部１３に接着されている。また、スタンプ装置１がスタンプ台２に置かれている状態では、ゴム印１９の印面は、スタンプ台２に設けられた朱肉２０に接している。そして、スタンプ帖Ｔを所持する利用者がスタンプ装置１を持ち上げ、上記ゴム印１９の印面を、スタンプ帖Ｔの印面（紙面）に押し当てると上記像形状のスタンプが押印されることになる。なお、印版部としては、ゴム印の他にも、撓み易い材質の印であっても良い。
【００３６】
スタンプ帖Ｔは、上述したＲＦＩＤチップと、スタンプを押印可能な複数の印面とを有しており、当該複数の印面それぞれにスタンプが押印可能になっている。
【００３７】
図３は、スタンプ帖Ｔの構成を説明するための図である。図３の例では、スタンプ帖Ｔは複数ページからなり、裏表紙に上述したＲＦＩＤチップＣ（媒体情報記憶部の一例）が埋め込まれている。かかるＲＦＩＤチップＣには、スタンプ帖毎に固有のスタンプ帖ＩＤ等が予め記憶されている。
【００３８】
なお、当該ＲＦＩＤチップＣが埋め込まれる場所は裏表紙にすることがＲＦＩＤの非接触通信上望ましいが、他の場所に埋め込まれるようにしても構わない。また、ＲＦＩＤチップＣはスタンプ帖Ｔに埋め込まれるのではなく、貼り付けられるようにしても構わない。また、ＲＦＩＤチップＣが埋め込まれたＩＣカードが、スタンプ帖Ｔの裏表紙に埋め込まれ（又は貼り付けられ）る構成としても良い。また、ＲＦＩＤチップＣ又はこれが埋め込まれたＩＣカードが、スタンプ帖Ｔに設けられたポケットに挿入されるように構成しても良い。なお、ＲＦＩＤチップＣのアンテナの中央とスタンプ帖Ｔに印刷された枠印の中央が一致するようになっている。
【００３９】
そして、スタンプ装置１のゴム印１９によりスタンプがスタンプ帖Ｔの印面に押印される際に、スタンプ装置１のＲＦＩＤリーダライタによりスタンプ帖ＴのＲＦＩＤチップＣからスタンプ帖ＩＤが非接触で読み取られるが、このとき、制御基板１５のＣＰＵ（スタンプ情報送信部）は、当該読み取られたスタンプ帖ＩＤと、不揮発性メモリに記憶されているスタンプＲ／ＷＩＤとを含むスタンプ情報を通信Ｉ／Ｆ１９ａ等を介してホスト３に送信する。なお、かかるスタンプ情報と共にスタンプ帖ＩＤが読み取られた年月日時を示す情報がホスト３に送信されてもよい。
【００４０】
また、制御基板１５のＣＰＵ（スタンプ獲得結果情報受信部及び情報出力部）は、スタンプサーバ４から送信されたスタンプ獲得結果情報をホスト３を介して受信すると、当該受信されたスタンプ獲得結果情報に示される判定結果に応じた音光制御を行う。かかる音光制御により、判定結果に応じた情報が化粧・認識用ＬＥＤ１４及びスピーカ１６を通じて出力される。ここで、上記判定結果は、スタンプ獲得が成功（ＯＫ）したか、或いは失敗（ＮＧ）したかの結果を示すものであり、かかる判定は、スタンプサーバ４にて行われる。この判定結果が成功である場合には、制御基板１５のＣＰＵは、化粧・認識用ＬＥＤ１４における青のＬＥＤを点灯させると共に、スピーカ１６に“ピッ”という音を鳴らさせる。一方、判定結果が失敗（ＮＧ）である場合には、化粧・認識用ＬＥＤ１４における赤のＬＥＤを点灯させると共に、スピーカ１６に“ブー”というブザー音を鳴らさせる。
【００４１】
［３．ホスト３の構成及び機能］
次に、ホスト３の構成及び機能について図４等を用いて説明する。
【００４２】
図４は、ホスト３の概要構成例を示すブロック図である。
【００４３】
ホスト３は、図４に示すように、スタンプ装置１との間で通信を行うための通信Ｉ／Ｆ３１、スタンプサーバ４との間で通信を行うための通信Ｉ／Ｆ３２、ハードディスクドライブ等を備える記憶部３３、及び、ＣＰＵ，ＲＡＭ，ＲＯＭから構成された制御部３４等を備えて構成されている。なお、通信Ｉ／Ｆ３１は、例えば、ＵＳＢケーブル、ＲＳ２３２Ｃケーブル、又はBluetooth（登録商標）による無線等を通じてスタンプ装置１（通信Ｉ／Ｆ１９ａ）に接続される。また、通信Ｉ／Ｆ３２は、ＬＡＮ、インターネット、移動体通信網（基地局含む）等により構築されたネットワークＮＷを介してスタンプサーバ４（通信Ｉ／Ｆ４１）に接続される。
【００４４】
なお、ホスト３には、例えばパーソナルコンピュータ、或いはセットトップボックス等が適用可能である。図５は、ホスト３としてセットトップボックスを利用した場合の例を示す図であり、この例では、当該セットトップボックスにはネットワークＮＷに接続するための無線カードが挿入されている。
【００４５】
記憶部３３には、各種データ及びプログラム、並びにスタンプ装置１又はスタンプサーバ４との通信ログが記憶される。
【００４６】
制御部３４は、ＲＯＭ又は記憶部３３に記憶されているプログラムを読み出して実行することにより、スタンプ情報受信部３４１、スタンプ情報送信部３４２、スタンプ獲得結果情報受信部３４３、及びスタンプ獲得結果情報送信部３４４等として機能する。
【００４７】
スタンプ情報受信部３４１は、スタンプ装置１から送信されたスタンプ情報を通信Ｉ／Ｆ３１を介して受信する。
【００４８】
スタンプ情報送信部３４２は、当該受信されたスタンプ情報を通信Ｉ／Ｆ３２及びネットワークＮＷを介してスタンプサーバ４に送信する。なお、かかるスタンプ情報と共に、スタンプ帖ＩＤが読み取られた年月日時を示す情報やスタンプ情報が受信された年月日時を示す情報がホスト３に送信されてもよい。
【００４９】
スタンプ獲得結果情報受信部３４３は、スタンプサーバ４から送信されたスタンプ獲得結果情報を通信Ｉ／Ｆ３２を介して受信する。
【００５０】
そして、スタンプ獲得結果情報送信部３４４は、当該受信されたスタンプ獲得結果情報を通信Ｉ／Ｆ３１を介してスタンプ装置１に送信する。
【００５１】
なお、ホスト３の機能は、スタンプ装置１に組み込まれる、スタンプ装置１とホスト３を一体型とするように構成してもよい。この場合、スタンプ装置１の筐体スタンプ部１３内に制御基板１５のＣＰＵと通信を行う通信装置（例えば無線モジュール）が搭載され、当該無線モジュールが、スタンプ情報受信部３４１、スタンプ情報送信部３４２、スタンプ獲得結果情報受信部３４３、及びスタンプ獲得結果情報送信部３４４として機能することになる。この構成によれば、ホスト３を不要とすることができる。
【００５２】
［４．スタンプサーバ４の構成及び機能］
次に、スタンプサーバ４の構成及び機能について図６等を用いて説明する。
【００５３】
図６は、スタンプサーバ４の概要構成例を示すブロック図である。
【００５４】
スタンプサーバ４は、図６に示すように、ホスト３との間で通信を行うための通信Ｉ／Ｆ４１、ハードディスクドライブ等を備える記憶部４２、ＣＰＵ，ＲＡＭ，ＲＯＭから構成された制御部４３、及びＷｅｂサーバ４４等を備えて構成されている。なお、通信Ｉ／Ｆ４１は、ネットワークＮＷを介してホスト３（通信Ｉ／Ｆ３２）に接続される。
【００５５】
記憶部４２には、各種データ及びプログラム（本発明のサーバプログラムを含む）が記憶されており、さらに、スタンプ獲得情報データベース（ＤＢ）４２１、スタンプＲ／Ｗ管理データベース４２２、スタンプ帖管理データベース４２３、抽選情報データベース４２４、及び抽選結果管理データベース４２５が構築されている。
【００５６】
スタンプ獲得情報データベース４２１には、後述するスタンプ獲得情報が登録される。
【００５７】
スタンプＲ／Ｗ管理データベース４２２には、各拠点に設置されているスタンプ装置１毎に、スタンプＲ／ＷＩＤと、設置場所の住所等の情報と、イベント内容等の情報とが対応付けられて登録されている。
【００５８】
スタンプ帖管理データベース４２３には、多くの利用者により配布されるスタンプ帖３毎に、スタンプ帖ＩＤと、そのスタンプ帖３の利用者の個人情報とが対応付けられて登録されている。利用者の個人情報には、例えば、利用者の氏名、住所、メールアドレス、利用者が所有するカードのカード番号等が含まれる。なお、スタンプ帖３に利用者の所有するＩＣカードがスタンプ帖Ｔに設けられたポケットに挿入されて使用される場合には、スタンプ帖ＩＤが利用者のＩＣカードのカード番号となる。
【００５９】
抽選情報データベース４２４には、スタンプラリーを行った利用者が行うことができる抽選に関する情報（例えば、抽選の条件等）が登録されている。
【００６０】
抽選結果管理データベース４２５には、上記抽選結果を示す抽選結果情報が登録される。
【００６１】
制御部４３は、ＲＯＭ又は記憶部４２に記憶されているプログラムを読み出して実行することにより、スタンプ情報受信部４３１、スタンプ情報登録部４３２、重複判定部４３３、及びスタンプ獲得結果情報返信部４３４等として機能する。
【００６２】
スタンプ情報受信部４３１は、ホスト３から送信されたスタンプ情報を通信Ｉ／Ｆ４１を介して受信する。
【００６３】
スタンプ情報登録部４３２は、受信されたスタンプ情報と、少なくとも時刻情報とを対応付けてスタンプ獲得情報としてスタンプ獲得情報データベース４２１に登録する。ここで、時刻情報は、スタンプ帖ＩＤが読み取られた年月日時、スタンプ情報がホスト３に受信された年月日時、スタンプ情報がスタンプサーバ４に受信された年月日時等何れであってもよい。
【００６４】
重複判定部４３３は、スタンプ情報が受信された場合に、当該スタンプ情報と、既にスタンプ獲得情報データベース４２１に登録されているスタンプ情報との重複判定を行う。つまり、重複判定部４３３は、受信されたスタンプ情報に含まれるスタンプ帖ＩＤとスタンプＲ／ＷＩＤの組が、スタンプ獲得情報データベース４２１に既に登録されているか否かを判定し、既に登録されている（重複する）場合には、重複するスタンプ獲得ができないので失敗（ＮＧ）と判定し、登録されていない場合には成功（ＯＫ）と判定する。
【００６５】
スタンプ情報登録部４３２は、重複判定部４３３による判定結果を、上記受信されたスタンプ情報に対応付けてスタンプ獲得情報としてスタンプ獲得情報データベース４２１に登録する。
【００６６】
そして、スタンプ獲得結果情報返信部４３４は、重複判定部４３３による判定結果を示すスタンプ獲得結果情報を、通信Ｉ／Ｆ４１及びネットワークＮＷを介してホスト３に返信する。
【００６７】
また、Ｗｅｂサーバ４４は、ネットワークＮＷを介して接続してきた、サービス提供者の端末（例えば、パーソナルコンピュータ、ＰＤＡ、携帯電話機等）のログイン処理（例えば、ユーザＩＤ及びパスワードが登録されているか判別）を行いログインを許可した場合には、当該端末からのリクエストに応じて、例えばスタンプ獲得情報データベース４２１から当該サービス提供者のサービスに関わるスタンプ獲得情報を取得、或いは抽選結果管理データベース４２５から当該サービス提供者のサービスに関わる抽選結果情報を取得し、当該取得した情報を当該端末に送信する。これにより、サービス提供者は、例えば、自己が提供するスタンプラリーの利用状況や抽選状況を閲覧することができる。
【００６８】
また、Ｗｅｂサーバ４４は、ネットワークＮＷを介して接続してきた、利用者の端末（例えば、パーソナルコンピュータ、ＰＤＡ、携帯電話機等）のログイン処理を行いログインを許可した場合には、当該端末からのリクエストに応じて、例えばスタンプ獲得情報データベース４２１から当該利用者のスタンプ獲得情報を取得、或いは抽選結果管理データベース４２５から当該利用者の抽選結果情報を取得し、当該取得した情報を当該端末に送信する。これにより、当該利用者は、いつでも自己のスタンプ獲得状況や抽選結果を閲覧することができる。
【００６９】
［５．スタンプシステムＳの動作］
次に、本実施形態に係るスタンプシステムＳの動作について図６等を用いて説明する。
【００７０】
図７は、スタンプシステムＳにおける処理の流れの一例を示すシーケンス図である。
【００７１】
前提として、例えばスタンプラリーで使用されるスタンプ帖Ｔ（スタンプラリーのサービス提供者が用意）が利用者に配布され、当該利用者の個人情報と当該スタンプ帖Ｔのスタンプ帖ＩＤとが対応付けられてスタンプ帖管理データベース４２３に登録されるようにしておく。
【００７２】
そして、利用者が拠点においてスタンプ装置１を用いてスタンプ帖Ｔの印面にスタンプを押印する際に、スタンプ装置１は、ＲＦＩＤリーダライタによりスタンプ帖ＴのＲＦＩＤチップＣを検出し（ステップＳ１）、スタンプ帖ＴのＲＦＩＤチップＣからスタンプ帖ＩＤを非接触で読み取る（ステップＳ２）。なお、かかるスタンプ帖ＩＤが読み取られた際に、スピーカ１６から読み取り音を鳴らさせるように構成してもよい。
【００７３】
次いで、スタンプ装置１が、不揮発性メモリからスタンプＲ／ＷＩＤを取得し、当該スタンプＲ／ＷＩＤと、上記読み取られたスタンプ帖ＩＤとを含むスタンプ情報をホスト３に送信すると、当該ホスト３は、これを受信し、当該スタンプ情報をスタンプサーバ４に送信する（ステップＳ３）。例えば、当該ホスト３は、ブラウザを起動し、予め設定されたスタンプサーバ４のＵＲＬ（図６の例では、「http://stampserver.jp/」）にスタンプ帖ＩＤ（図６の例では、「S1234」）及びスタンプＲ／ＷＩＤ（図６の例では、「R9901」）を付加してスタンプサーバ４に接続することによりスタンプ情報を送信する。
【００７４】
次いで、スタンプサーバ４は、ホスト３から送信されてきたスタンプ情報を受信すると、上述したように、当該スタンプ情報と、既にスタンプ獲得情報データベース４２１に登録されているスタンプ情報との重複判定を行う（ステップＳ４）。
【００７５】
次いで、スタンプサーバ４は、受信したスタンプ情報、時刻情報、及び判定結果を含むスタンプ獲得情報に係る１レコードをスタンプ獲得情報データベース４２１に追加登録する（ステップＳ５）。
【００７６】
次いで、スタンプサーバ４は、上記判定結果を示すスタンプ獲得結果情報をホスト３に返信する（ステップＳ６）。
【００７７】
次いで、スタンプ装置１は、スタンプサーバ４から送信されたスタンプ獲得結果情報をホスト３を介して受信すると、上述したように、当該スタンプ獲得結果情報に示される判定結果に応じた音光制御を行う（ステップＳ７）。
【００７８】
なお、当該音光制御はスタンプ装置１ではなく、スタンプ獲得結果情報を受信したホスト１が行うように構成してもよい。つまり、ホスト１は、受信したスタンプ獲得結果情報に示される判定結果が成功である場合には、ディスプレイ上に成功を示す情報を表示させると共に、スピーカに“ピッ”という音を鳴らさせる。一方、ホスト１は、受信したスタンプ獲得結果情報に示される判定結果が失敗である場合には、ディスプレイ上に失敗を示す情報を表示させると共に、スピーカに“ブー”というブザー音を鳴らさせる。このように構成した場合、スタンプ装置１に表示機能及び音声出力機能を持たせなくともよく、スタンプ装置１にはスタンプ帖ＴのＲＦＩＤチップＣからスタンプ帖ＩＤを読み取る機能等、必要最小限の機能だけを持たせるようにすることができる。
【００７９】
次いで、ホスト３は、当該通信ログを記録する（ステップＳ８）。
【００８０】
以上の処理は、スタンプ装置１によりスタンプ帖Ｔの印面にスタンプが押印される度に行われ、次第にスタンプ獲得情報データベース４２１に登録されるスタンプ獲得情報が増していくことになる。
【００８１】
そして、利用者が各拠点を回り、最終的に、例えば抽選機が設置された抽選所を訪れることになる。当該抽選機に接続されたＲＦＩＤリーダライタによりスタンプ帖ＴのＲＦＩＤチップＣからスタンプ帖ＩＤが読み取られると、当該抽選機はスタンプサーバ４に接続して当該スタンプ帖ＩＤを送り、当該スタンプ帖ＩＤを含むスタンプ獲得情報に係る全レコードをスタンプサーバ４から取得する。そして、当該抽選機は、当該取得したスタンプ獲得情報に係る全レコードに基づいて、当該スタンプ帖Ｔの利用者に対して例えば抽選ができる権利（又は、景品が得られる権利）を与えるか否かを決定するようになっている。
【００８２】
上記抽選ができる権利を与えるか否かの決定は、例えば、予め定められた必須拠点におけるスタンプ装置１のスタンプＲ／ＷＩＤが、スタンプ獲得情報に係る全レコードに含まれているかどうかにより行われる。或いは、当該抽選ができる権利を与えるか否かの決定は、例えば、予め定められた拠点数分のスタンプ獲得情報に係るレコードが含まれているかどうかにより行われる。
【００８３】
以上説明したように、上記実施形態によれば、スタンプ獲得状況を示すスタンプ獲得情報がスタンプ帖２におけるＲＦＩＤチップ内に格納されるのではなく、スタンプサーバ４に格納（スタンプ獲得情報データベース４２１に登録）されるようにしたので、物がもつ“思い出”的な要素が有り利用者にとってコレクション欲を満たさすというスタンプラリーの利点を生かしつつ、認証や、後のチェック等を容易に行うことができると共に、サービス提供者やサービス利用者等は、自己の端末（例えば、パーソナルコンピュータ、ＰＤＡ、携帯電話機等）からネットワークＮＷを介してＷｅｂサーバ４４に接続してスタンプ獲得情報を取得し、当該端末の画面上でスタンプ獲得状況をリアルタイムに把握することができる。また、サービス提供者は、自己の端末からスタンプサーバ４に接続して例えば抽選本数を管理することができる。
【００８４】
また、スタンプ装置１のＲＦＩＤリーダライタは、スタンプ帖Ｔの印面へのスタンプ押印時に、ＲＦＩＤチップＣへのデータ書き込みを行う必要がなく、ＲＦＩＤチップＣからスタンプ帖ＩＤのみを読み取ればよいので、スタンプ帖Ｔの印面へのスタンプ押下が瞬時に行われた場合であっても問題が生じることなく、スタンプ獲得情報を確実に登録することができる。
【００８５】
また、スタンプ装置１のＲＦＩＤリーダライタは、スタンプ帖Ｔの印面へのスタンプ押印時に、ＲＦＩＤチップＣへのデータ書き込みを行う必要がないので、ＲＦＩＤチップＣの記憶容量が有限であっても特段の問題が生じることなく、ＲＦＩＤチップＣの記憶容量に制限されないスタンプサービスを行うことができる。
【００８６】
更に、スタンプ装置１のＲＦＩＤリーダライタは、スタンプ帖Ｔの印面へのスタンプ押印時に、ＲＦＩＤチップＣへのデータ書き込みを行う必要がないので、スタンプサービス提供者とＩＣチップ（ＩＣカード）発行者が異なる場合であっても特段の問題が生じることなく、利用者は、既存のＲＦＩＤチップを搭載したＩＣカードを利用することができる。また、スタンプ装置１のＲＦＩＤリーダライタに、ＱＲコードやバーコードを読み取るものを適用すれば、ＱＲコードやバーコードが印字されたカードやスタンプ帖であっても本発明を適用することができる。
【００８７】
また、上述したようにスタンプ獲得状況は端末で確認することができるので、本発明は、利用者本人、家族、友人、ネット上の知人などが参加できるスタンプコミニティサイトにも利用することができる。
【００８８】
なお、上記実施形態において、ホスト３に画像表示部及び音声出力部を備えさせ、スタンプサーバ４からネットワークＮＷを介してホスト３に対して画像及び音声を含む案内情報を送信するように構成すれば、ホスト３側で動的に画像及び音声でサービスの案内を利用者に対して行うことができる。
【００８９】
また、上記実施形態においては、スタンプシステムＳをスタンプラリーに利用する場合を例にとって説明したが、この他にも、例えば、ショールーム、ショッピングモール、商品を提供（販売又は貸与）する店舗や、サービスを提供する店舗、巡回記録、書類の承認記録としても利用可能である。
【符号の説明】
【００９０】
１  スタンプ装置
２  スタンプ台
３  ホスト
４  スタンプサーバ
１１  電源プラグ
１２  筐体グリップ部
１３  筐体スタンプ部
１４  化粧・認識用ＬＥＤ
１５  制御基板
１６  スピーカ（又はブザー）
１７  ＲＦＩＤアンテナ
１８  Ｒ／Ｗ通信スイッチ
１９  ゴム印
１９ａ  通信Ｉ／Ｆ
３１  通信Ｉ／Ｆ
３２  通信Ｉ／Ｆ
３３  記憶部
３４  制御部
４１  通信Ｉ／Ｆ
４２  記憶部
４３  制御部
４４  Ｗｅｂサーバ
Ｔ  スタンプ帖
Ｃ  ＲＦＩＤチップ
Ｓ  スタンプシステム
【図１】
2010198431.tif 000003
【図２】
2010198431.tif 000004
【図３】
2010198431.tif 000005
【図４】
2010198431.tif 000006
【図５】
2010198431.tif 000007
【図６】
2010198431.tif 000008
【図７】
2010198431.tif 000009